(57)【要約】【課題】ダウンシフトの応答遅れによる違和感を回避もしくは抑制することのできる自動変速機の変速制御装置を提供する。【解決手段】自動変速機の変速制御装置において、コントローラは、現時点での踏力が第１閾値以上であって、かつ、加速度が第２閾値に向けて増大している過程で第２閾値より小さい第３閾値以上となった場合に、第１係合機構の油圧を、トルクの伝達を維持することができる予め定めた第１油圧にまで低下させ（ステップＳ３）、第２係合機構の油圧を、第２係合機構でトルクを伝達し始める第２油圧より高くかつ他の変速段を設定することができない予め定めた第３油圧に設定し（ステップＳ４）、他の変速段より変速比の大きい更に他の変速段を設定する場合に係合される第３係合機構の油圧を、第３係合機構でトルクを伝達し始める第４油圧より低い予め定めた第５油圧に設定する（ステップＳ４）。【選択図】図４
2018112229.tif 000002
【特許請求の範囲】
【請求項１】
複数の係合機構を有しており、前記複数の係合機構のうちいずれかの前記係合機構を油圧によって選択的に係合・解放することにより複数の変速段を設定する有段式の自動変速機がエンジンの出力側に設けられ、アクセルペダルがオフであってかつブレーキペダルの踏力が第１閾値以上であるとともに加速度が第２閾値以上の場合に、現時点の変速段を設定するために係合されていて前記変速段より変速比の大きい他の変速段では解放される第１係合機構の油圧を低下させて前記第１係合機構を解放し、前記変速段では解放されていて前記他の変速段を設定するために係合される第２係合機構の油圧を増大させて前記第２係合機構を係合することにより前記変速段から前記他の変速段へのダウンシフトを行うように構成された自動変速機の変速制御装置において、
前記自動変速機の変速を制御するコントローラを備え、
前記コントローラは、
前記現時点での前記踏力が前記第１閾値以上であって、かつ、前記加速度が前記第２閾値に向けて増大している過程で前記第２閾値より小さい第３閾値以上となった場合に、
前記第１係合機構の油圧を、前記トルクの伝達を維持することができる予め定めた第１油圧にまで低下させ、
前記第２係合機構の油圧を、前記第２係合機構で前記トルクを伝達し始める第２油圧より高くかつ前記他の変速段を設定することができない予め定めた第３油圧に設定し、
前記他の変速段より変速比の大きい更に他の変速段を設定する場合に係合される第３係合機構の油圧を、前記第３係合機構で前記トルクを伝達し始める第４油圧より低い予め定めた第５油圧に設定する
ことを特徴とする自動変速機の変速制御装置。
【発明の詳細な説明】
【技術分野】
【０００１】
この発明は、変速比を段階的に変化させることのできる自動変速機を対象とする変速制御装置に関するものである。
【背景技術】
【０００２】
この種の装置の一例が特許文献１に記載されている。その装置は、ブレーキペダルの踏力が閾値以上である状態が予め定められた時間以上経過し、車両の加速度が加速判定値以上である場合には、加速判定フラグがオンにされて現時点での変速段よりも変速比の大きい変速段を設定するダウンシフトを行うように構成されている。
【０００３】
また、特許文献２に記載された変速機の制御装置は、アクセルペダルの操作量およびブレーキペダルの操作量が共に０である場合には、ニュートラル状態を設定して惰性によって走行するとともに、アクセル開度と車速とに基づいて再加速時における目標変速段を求めるように構成されている。そして例えば、目標変速段が第１速段から第３速段である場合には、第１速段から第３速段で共通して使用される係合機構を係合状態とし、共通していない他の係合機構を解放状態にする。そのため、再加速時に、第１速段もしくは第２速段あるいは第３速段を設定する場合には、他の係合機構を係合させるだけでよく、これにより目標とする変速段を速やかに設定できる、とされている。
【０００４】
特許文献３には、多段変速機構を有する車両用駆動装置の制御装置が記載されている。その制御装置は、現時点での車両の走行状態を数値化する。そして、走行状態についての数値の変化率と、現在の変速段から変更される可能性がある他の変速段の摩擦係合要素についての変速の準備に要する時間とに基づいて、前記他の変速段の摩擦係合要素の変速の準備が完了した後における車両の走行状態の数値を予測する。そして、予測された数値が各変速段毎に設定された変速の準備を開始する所定の範囲内にある場合には、現在の変速段から変更される可能性がある他の変速段の摩擦係合要素について、変速の準備を行うように構成されている。変速の準備とは、具体的には、摩擦係合要素における油圧を増大させることにより摩擦係合要素におけるクリアランスを詰めてトルク伝達し始める直前の状態としたり、摩擦係合要素における油圧を低下させることにより摩擦係合要素がスリップし始める直前の状態としたりすることである。
【０００５】
特許文献４に記載された自動変速機の制御装置は、クラッチ・ツウ・クラッチ変速によるパワーオンダウンシフトが予測された場合には、クラッチ・ツウ・クラッチ変速を実行する摩擦係合要素のうち、一方の摩擦係合要素に油圧を供給して係合を開始する直前の待機状態を設定するように構成されている。
【先行技術文献】
【特許文献】
【０００６】
【特許文献１】特開２００８−２５６０９号公報
【特許文献２】国際公開第２０１２／１３３６６６号
【特許文献３】特開２０１３−１５５７９０号公報
【特許文献４】特開２００８−２７５００１号公報
【発明の概要】
【発明が解決しようとする課題】
【０００７】
有段式の自動変速機においては、例えば、ダウンシフトを行う場合には、現時点での変速段を設定していたクラッチなどの係合機構のトルクを徐々に低下させるとともに、現時点での変速段より変速比の大きい低速側の変速段を設定するクラッチなどの他方の係合機構のトルクを徐々に増大させる。つまり、クラッチ・ツウ・クラッチ変速を所定の時間を掛けて行うため、ダウンシフトが終了するまでに時間が掛かってしまう。また、クラッチを掴み替えるまでの間は、ダウンシフト後の変速段の変速比より小さい変速比で走行しあるいは惰性によって走行することとなる。特許文献１に記載された構成では、加速判定フラグがオンにされてからダウンシフトが実行されるため、上述したように、ダウンシフトが終了するまでには時間が掛かってしまう。そのため、運転者の意図もしくは期待する減速を実現できずに運転者に違和感を抱かせる可能性がある。
【０００８】
特許文献２に記載された構成では、再加速時における目標変速段で共通して使用される係合機構を係合状態とし、他の係合機構を解放状態にしている。しかしながら、トルクの変化によるショックを回避もしくは抑制するために、他の係合機構のトルクを徐々に増大させて係合させることになる。したがって、ダウンシフトを開始してからダウンシフトが終了するまでには時間が掛かってしまう。特許文献３に記載された構成では、各係合機構のクリアランスはある程度詰められているものの、変速に伴うショックを低減するためには、解放側の摩擦係合要素のトルクを徐々に低下させて解放させ、係合側の摩擦係合要素のトルクを徐々に増大させて係合させることになる。特許文献４に記載された構成では、一方の摩擦係合要素のトルクを徐々に増大させて係合させることになる。つまり、特許文献３および特許文献４に記載された構成であっても、特許文献２と同様の課題がある。
【０００９】
この発明は上記の技術的課題に着目してなされたものであって、ダウンシフトの応答遅れによる違和感を回避もしくは抑制することのできる自動変速機の変速制御装置を提供することを目的とするものである。
【課題を解決するための手段】
【００１０】
上記の目的を達成するために、この発明は、複数の係合機構を有しており、前記複数の係合機構のうちいずれかの前記係合機構を油圧によって選択的に係合・解放することにより複数の変速段を設定する有段式の自動変速機がエンジンの出力側に設けられ、アクセルペダルがオフであってかつブレーキペダルの踏力が第１閾値以上であるとともに加速度が第２閾値以上の場合に、現時点の変速段を設定するために係合されていて前記変速段より変速比の大きい他の変速段では解放される第１係合機構の油圧を低下させて前記第１係合機構を解放し、前記変速段では解放されていて前記他の変速段を設定するために係合される第２係合機構の油圧を増大させて前記第２係合機構を係合することにより前記変速段から前記他の変速段へのダウンシフトを行うように構成された自動変速機の変速制御装置において、前記自動変速機の変速を制御するコントローラを備え、前記コントローラは、前記現時点での前記踏力が前記第１閾値以上であって、かつ、前記加速度が前記第２閾値に向けて増大している過程で前記第２閾値より小さい第３閾値以上となった場合に、前記第１係合機構の油圧を、前記トルクの伝達を維持することができる予め定めた第１油圧にまで低下させ、前記第２係合機構の油圧を、前記第２係合機構で前記トルクを伝達し始める第２油圧より高くかつ前記他の変速段を設定することができない予め定めた第３油圧に設定し、前記他の変速段より変速比の大きい更に他の変速段を設定する場合に係合される第３係合機構の油圧を、前記第３係合機構で前記トルクを伝達し始める第４油圧より低い予め定めた第５油圧に設定することを特徴としている。
【発明の効果】
【００１１】
この発明によれば、ブレーキペダルの踏力が第１閾値以上であって、かつ、加速度が第２閾値に向けて増大している過程で第２閾値より小さい第３閾値以上となった場合には、現時点では変速段を設定するために係合されていて、前記変速段より変速比の大きい他の変速段では解放される第１係合機構の油圧を、トルクの伝達を維持することができる予め定めた第１油圧にまで低下させる。また、現時点では解放されていて前記他の変速段では、当該他の変速段を設定するために係合される第２係合機構の油圧を、第２係合機構でトルクを伝達し始める第２油圧より高くかつ前記他の変速段を設定することができない予め定めた第３油圧に設定する。つまり、ダウンシフトを行う判断が成立する前の時点で、クラッチ・ツウ・クラッチ変速に向けて第１係合機構の油圧を低下させる制御、および、第２係合機構の油圧を増大させる制御などを行う。そのため、加速度が第２閾値以上となった場合には、直ちに、第１係合機構を解放しかつ第２係合機構を係合して、現時点の変速段から他の変速段へのダウンシフトを速やかに行うことができる。その結果、運転者の意図もしくは期待するダウンシフトによる加速度の低下、つまり減速感を得ることができ、運転者が違和感を抱くことを解消もしくは抑制することができる。また、ブレーキペダルを踏み増すことを防止もしくは抑制でき、車両の操作性や変速の応答性を向上することができる。さらに、変速に伴うショックを低減するために、第１係合機構および第２係合機構の油圧を徐々に変化させるとしても、ダウンシフトを終了するまでに掛かる時間を短縮することができる。そして、他の変速段より変速比の大きい更に他の変速段を設定する場合に係合される第３係合機構の油圧は、第３係合機構でトルクを伝達し始める第４油圧より低い第５油圧に設定され、第３係合機構のクリアランスが詰められている。そのため、連続してダウンシフトを行う場合であっても、変速に掛かる時間を短くすることができる。
【図面の簡単な説明】
【００１２】
【図１】この発明の実施形態における車両のパワートレーンの一例を模式的に示すブロック図である。
【図２】この発明の実施形態における自動変速機の一例を模式的に示すスケルトン図である。
【図３】図２に示す自動変速機における各ギヤ段を設定する各クラッチおよび各ブレーキの係合および解放の状態をまとめて示す図表である。
【図４】この発明の実施形態における制御の一例を説明するためのフローチャートである。
【図５】図４に示す制御を行った場合の車両の加速度、解放側の係合機構の油圧指令値、係合側の他の係合機構の油圧指令値などの変化の一例を示すタイムチャートである。
【図６】前進第５速段から前進第４速段や前進第３速段へのダウンシフトを行う場合の第４クラッチＣ４の油圧、第３クラッチＣ３の油圧、第１ブレーキＢ１の油圧、エンジン回転数などの変化の一例を示すタイムチャートである。
【発明を実施するための形態】
【００１３】
図１は、この発明の実施形態で対象とすることのできる車両のパワートレーンの一例を模式的に示すブロック図である。駆動力源としてガソリンエンジンなどの内燃機関（以下、エンジンと記す）１を備えている。エンジン１は従来知られている車両用エンジンと同様の構成であり、アクセルペダルＡがオンつまり踏み込むなどの加速操作によって吸入空気量や燃料噴射量が増大して、エンジン１の出力が加速操作に応じた値になるように構成されている。また、アクセルペダルＡがオフとなることにより燃料の供給が停止されるように構成されている。エンジン１の出力側に有段式の自動変速機２が連結されている。自動変速機２は複数のギヤ段を設定することができ、かつ各ギヤ段はアクセルペダルＡの踏み込み量などの要求駆動量と車速などの車両の走行状態とに基づいて設定されるように構成された従来知られている自動変速機である。また、自動変速機２はトルクコンバータ３と、複数のクラッチなどの係合機構４，５によってトルクの伝達経路が切り替えられる歯車機構６とを備えている。この自動変速機２では、ギヤ段を１段ずつ切り替えるだけでなく、所定のギヤ段から二段以上離れたギヤ段への変速が可能であり、その変速は例えば現在のギヤ段で係合している係合機構４のトルク容量を低下させて解放するとともに、他の係合機構５を係合させることにより実行される。自動変速機２の出力軸７は終減速機であるデファレンシャルギヤ８に連結され、デファレンシャルギヤ８から左右の駆動輪９にトルクが伝達される。
【００１４】
自動変速機２における変速を制御するための電子制御装置（ＥＣＵ）１０が設けられている。ＥＣＵ１０は、この発明の実施形態におけるコントローラに相当し、例えばマイクロコンピュータを主体にして構成され、入力されたデータや、予め記憶しているデータを使用して演算を行い、演算の結果を制御指令信号として出力するように構成されている。入力されるデータは、各種のセンサによって得られたデータであって、荷重センサ１１によって検出されたブレーキペダルＢの踏力ＢＰや、加速度センサ１２によって検出された車両の前後方向の加速度Ｇ、車速Ｖ、アクセルペダルＡの踏み込み量であるアクセル開度ＡＣＣなどがその例である。また、予め記憶しているデータは、変速比を段階的に変化させる変速マップである。変速マップは、従来の有段変速機の変速制御装置で採用されているものであってよく、車速Ｖとアクセル開度ＡＣＣ（駆動要求量）とによってギヤ段が決められている。
【００１５】
図２は、この発明の実施形態における自動変速機の一例を模式的に示すスケルトン図である。トルクコンバータ３は、従来知られているものと同様の構成のものであって、エンジン１によって回転させられるポンプインペラ１３と、ポンプインペラ１３によって生じさせられたオイルの螺旋流を受けて回転するポンプインペラ１４とを備え、これらポンプインペラ１３とポンプインペラ１４との間に、ワンウェイクラッチ１５を介して所定の固定部１６に取り付けられたステータ１７が配置されている。トルクコンバータ３はロックアップクラッチ１８を有しており、ロックアップクラッチ１８は、ポンプインペラ１３に一体化させてあるフロントカバー１９と、タービンランナ１４に一体に取付けたハブ２０との間に設けられている。エンジン１のクランクシャフト（図示せず）はフロントカバー１９に連結され、タービンランナ１４は歯車機構６の入力軸２１に連結されている。また、ポンプインペラ１３にエンジン１のトルクによって駆動されるオイルポンプ２２が連結されている。
【００１６】
歯車機構６は第１変速部２３を構成するダブルピニオン型の第１遊星歯車機構と、第２変速部２４を構成するラビニヨ型の遊星歯車機構とを備えている。第１変速部２３は第１サンギヤ２５と、第１サンギヤ２５に対して同心円状に配置された第１リングギヤ２６と、第１サンギヤ２５に噛み合う第１ピニオンギヤ２７と、第１ピニオンギヤ２７および第１リングギヤ２６に噛み合う第２ピニオンギヤ２８と、第１ピニオンギヤ２７および第２ピニオンギヤ２８を保持する第１キャリヤ２９とを備えている。第１サンギヤ２５は歯車機構６のケースなどの固定部１６に固定されている。第１キャリヤ２９は入力軸２１に連結されるとともに、第２変速部２４における第１入力要素である第１中間軸３０に第４クラッチＣ４を介して選択的に連結される。第１中間軸３０は第１ブレーキＢ１を介して固定部１６に選択的に固定される。第１リングギヤ２６は第３クラッチＣ３を介して第１中間軸３０に選択的に連結される。
【００１７】
第２変速部２４は第２サンギヤ３１と、第２サンギヤ３１に対して同心円状に配置された第２リングギヤ３２と、第２サンギヤ３１に噛み合う第３ピニオンギヤ３３とを備えている。また、第３サンギヤ３４と、第３サンギヤ３４および第３ピニオンギヤ３３に噛み合う第４ピニオンギヤ３５と、第３ピニオンギヤ３３および第４ピニオンギヤ３５を保持する第２キャリヤ３６とを備えている。第３サンギヤ３４は第２変速部２４における第２入力要素である第２中間軸３７に連結され、第２中間軸３７と第１変速部２３の第１リングギヤ２６とは第１クラッチＣ１を介して選択的に連結される。第２キャリヤ３６は第２ブレーキＢ２によって固定部１６に選択的に固定されるとともに、第２クラッチＣ２によって入力軸２１に選択的に連結される。第２リングギヤ３２は出力軸７に連結されている。なお、上述した第１クラッチＣ１、第２クラッチＣ２、第３クラッチＣ３、第４クラッチＣ４、第１ブレーキＢ１、第２ブレーキＢ２がこの発明の実施形態における第１係合機構、第２係合機構、第３係合機構に相当している。
【００１８】
上記構成の自動変速機２では、各クラッチＣ１，Ｃ２，Ｃ３，Ｃ４および各ブレーキＢ１，Ｂ２の係合状態と解放状態とを、選択的に切り替えることによって変速比が互いに異なる複数のギヤ段を設定するように構成されている。それらのクラッチＣ１，Ｃ２，Ｃ３，Ｃ４およびブレーキＢ１，Ｂ２の係合状態と解放状態との切り替えを行う油圧制御装置３８が設けられている。油圧制御装置３８は、オイルポンプ２２から吐出されたオイルを所定の圧力に調圧する図示しない調圧弁を備え、調圧されたオイルを各クラッチＣ１，Ｃ２，Ｃ３，Ｃ４およびブレーキＢ１，Ｂ２に供給するように構成されている。
【００１９】
図３は、図２に示す自動変速機２における各ギヤ段を設定する各クラッチＣ１，Ｃ２，Ｃ３，Ｃ４およびブレーキＢ１，Ｂ２の係合および解放の状態をまとめて示す図表である。図３に示す「○」は係合している状態を示し、「×」は解放している状態を示している。図３に示すように前進第１速段は第１クラッチＣ１と第２ブレーキＢ２とを係合させることにより設定され、前進第２速段は第１クラッチＣ１と第１ブレーキＢ１とを係合させることにより設定される。前進第３速段は第１クラッチＣ１と第３クラッチＣ３を係合させることにより設定され、前進第４速段は第１クラッチＣ１と第４クラッチＣ４とを係合させることにより設定される。前進第５速段は第１クラッチＣ１と第２クラッチＣ２とを係合させることにより設定され、前進第６速段は第２クラッチＣ２と第４クラッチＣ４とを係合させることにより設定される。前進第７速段は第２クラッチＣ２と第３クラッチＣ３とを係合させることにより設定され、前進第８速段は第２クラッチＣ２と第１ブレーキＢ１とを係合させることにより設定される。なお、各クラッチＣ１，Ｃ２，Ｃ３，Ｃ４およびブレーキＢ１，Ｂ２の全てを解放状態に設定することによってニュートラル状態やパーキング状態を成立させることができる。第３クラッチＣ３と第２ブレーキＢ２とを係合させることにより後進第１速段Ｒ１を設定することができ、第４クラッチＣ４と第２ブレーキＢ２とを係合させることにより後進第２速段Ｒ１を設定することができる。
【００２０】
この発明の実施形態における変速制御装置は、自動変速機２でのダウンシフトによる加速度の低下すなわち減速度の増大が、運転者に違和感を抱かせないように生じるように、変速を制御する。その制御の一例を図４にフローチャートで示してある。ここに示すルーチンは、車両が走行している状態でＥＣＵ１０によって所定の短時間毎に繰り返し実行される。先ず、ブレーキペダルＢの踏力ＢＰが閾値Ｂｔｈ以上である状態が、所定時間継続されたか否かが判断される（ステップＳ１）。このステップＳ１での車両の走行状態は、例えば、アクセル開度ＡＣＣが０であることにより、車両が惰性によって走行しており、かつ、車両の加速度Ｇが増大していてブレーキペダルＢが踏み込まれている状態である。ブレーキペダルＢの踏力ＢＰは、上述した荷重センサ１１によって検出することができる。閾値Ｂｔｈは、この発明の実施形態における第１閾値に相当する。閾値Ｂｔｈや所定時間などは、車種ごとに、あるいは車両ごとに、実験などによって求めることができる。
【００２１】
踏力ＢＰが閾値Ｂｔｈより小さい、もしくは、踏力ＢＰが閾値Ｂｔｈ以上となっている状態が所定時間経過していない場合には、ステップＳ１で否定的に判断される。この場合には、特に制御を行うことなく図４に示すルーチンを一旦終了する。これに対してステップＳ１で肯定的に判断された場合には、車両の前後方向の加速度Ｇが閾値α以上であるか否かが判断される（ステップＳ２）。このステップＳ２は、将来におけるダウンシフトを予測するため判断ステップであり、いわゆるプレ加速判定を行う。閾値αは、以下に説明するダウンシフトの実行を判断するための閾値βよりも小さい値であって、この発明の実施形態における第３閾値に相当する。閾値αは実験などによって求めることができる。なお、加速度Ｇは、加速度センサ１２によって検出することができる。
【００２２】
ステップＳ２で肯定的に判断された場合には、ダウンシフトを行うことにより解放される第１係合機構の油圧を低下させる制御が行われる（ステップＳ３）。ダウンシフトによって設定されるギヤ段つまり目標ギヤ段は前述した変速マップを利用して、現時点あるいはダウンシフトを実行する際の車速Ｖとアクセル開度ＡＣＣとから判定することができる。このステップＳ３での制御を前進第５速段から前進第４速段へダウンシフトする場合を例として説明する。前進第５速段では上述したように、第１クラッチＣ１および第２クラッチＣ２が係合され、前進第４速段では第１クラッチＣ１および第４クラッチＣ４が係合される。そのため、前進第５速段から前進第４速段へのダウンシフトでは、第１クラッチＣ１を係合させた状態に維持し、第２クラッチＣ２から第４クラッチＣ４への掴み替えを行う。このステップＳ３では、第２クラッチＣ２から第４クラッチＣ４への掴み替えを行うための準備段階として、第２クラッチＣ２の伝達トルク容量を、滑りを伴わずにトルクを伝達する容量にまで低下させる。つまり、このステップＳ３では、ダウンシフトを行うことにより解放される第２クラッチＣ２の油圧を、上述した滑りを伴わずにトルクを伝達する容量に応じた油圧にまで低下させる。前進第５速段から前進第４速段へダウンシフトする場合における第２クラッチＣ２がこの発明の実施形態における第１係合機構に相当する。第２クラッチＣ２で設定される「滑りを伴わずにトルクを伝達する容量に応じた油圧」がこの発明の実施形態における第１油圧の相当し、これは実験などによって求めることができる。また、前進第５速段から前進第４速段へダウンシフトする場合における前進第５速段がこの発明の実施形態における現時点の変速段に相当し、前進第４速段がこの発明の実施形態における他の変速段に相当する。そして、前進第５速段から前進第４速段へダウンシフトする場合における第４クラッチＣ４がこの発明の実施形態における第２係合機構に相当する。
【００２３】
次いで、ダウンシフトを行うことにより係合される第２係合機構の油圧を増大させるとともに、現在のギヤ段を基準として低速側に二段もしくは三段、ダウンシフトを行う場合に係合される第３係合機構の油圧を増大させる制御が行われる（ステップＳ４）。前進第５速段から前進第４速段へのダウンシフトでは、第４クラッチＣ４で僅かにトルクを伝達するように、第４クラッチＣ４の油圧を、第４クラッチＣ４でトルクを伝達し始めるパックエンド圧より僅かに高くかつ前進第４速段を設定できない油圧に増大させる。すなわち、第４クラッチＣ４の油圧を一時的に急激に増大させた後、上述した第４クラッチＣ４でトルクを伝達し始めるパックエンド圧より僅かに高くかつ前進第４速段を設定できない油圧にまで低下させる。いわゆるクイックアプライ制御を行う。その結果、第４クラッチＣ４での伝達トルク容量は可及的に小さい容量となっており、前進第４速段は設定されない。この第４クラッチＣ４でのパックエンド圧がこの発明の実施形態における第２油圧に相当し、パックエンド圧より僅かに高く前進第４速段を設定することができない油圧がこの発明の実施形態における第３油圧に相当する。これらの油圧は実験などによって求めることができる。
【００２４】
また、前進第５速段から二段低速側の前進第３速段は、第１クラッチＣ１および第３クラッチＣ３を係合することによって設定される。そのため、前進第５速段から前進第４速段へのダウンシフトの終了後における前進第３速段へのダウンシフトに備えて、第３クラッチＣ３の油圧を増大して第３クラッチＣ３におけるクリアランスを詰めるパック詰め制御を行う。前進第５速段から三段低速側の前進第２速段は、第１クラッチＣ１および第１ブレーキＢ１を係合することによって設定される。そのため、前進第５速段から前進第４速段へのダウンシフトの終了後における前進第２速段へのダウンシフトに備えて、第１ブレーキＢ１の油圧を増大して第１ブレーキＢ１におけるクリアランスを詰めるパック詰め制御を行う。それらのパック詰め制御について簡単に説明すると、先ず、第３クラッチＣ３や第１ブレーキＢ１に対する油圧指令値を一時的に高めてそれらの油圧を増大し、第３クラッチＣ３や第１ブレーキＢ１におけるクリアランスを詰める。その後、各油圧指令値を前記クリアランスを維持できる程度の低い油圧の応じた値に低下させる。上述した第３クラッチＣ３や第１ブレーキＢ１がこの発明の実施形態における第３係合機構に相当する。また、第３クラッチＣ３や第１ブレーキＢ１で設定される「クリアランスを維持できる程度の低い油圧」は、それら第３クラッチＣ３や第１ブレーキＢ１でのパックエンド圧より僅かに低い油圧であり、これは実験などにより求めることができる。第３クラッチＣ３や第１ブレーキＢ１のパックエンド圧がこの発明の実施形態における第４油圧に相当し、「クリアランスを維持できる程度の低い油圧」がこの発明の実施形態における第５油圧に相当する。
【００２５】
ついで、車両の前後方向の加速度Ｇが閾値β以上であるか否かが判断される（ステップＳ５）。閾値βはステップＳ２での閾値αより大きい値となっている。このステップＳ５では、車両が加速しているか否かが判断される。このステップＳ５で肯定的に判断される場合としては、例えば、降坂路を走行している場合が挙げられる。ステップＳ５で肯定的に判断された場合には、ダウンシフトが実行される（ステップＳ６）。すなわち、第２クラッチＣ２の油圧を更に低下させて解放するとともに、第４クラッチＣ４の油圧を増大させて第４クラッチＣ４を完全に係合させる。その後、このルーチンを一旦終了する。一方、ステップＳ５で否定的に判断された場合には、ダウンシフトを行うことなく、このルーチンを一旦終了する。上述した閾値βがこの発明の実施形態における第２閾値に相当する。
【００２６】
上述したステップＳ２で否定的に判断された場合には、各係合機構に対して従来の変速制御が行われ、各係合機構の油圧は従来の変速制御での油圧に設定される（ステップＳ７）。その後、ステップＳ５に進む。
【００２７】
図４に示す制御を行った場合の車両の加速度Ｇ、第２クラッチＣ２などの解放側の係合機構の油圧指令値、第４クラッチＣ４などの係合側の他の係合機構の油圧指令値などの変化を図５にタイムチャートで示してある。ｔ１時点にブレーキペダルＢが踏み込まれるものの、降坂路を走行していることにより、車両の加速度Ｇは徐々に増大する。所定時間が経過したｔ２時点にプレ加速判定が行われる。ｔ２時点での加速度Ｇが閾値α以上である場合には、プレ加速判定の判定フラグがオンにされる。そして解放側の係合機構に対する油圧指令値を低下して、解放側の係合機構のトルク容量を、滑りを伴わずにトルクを伝達することができる程度の容量にまで低下させる制御が行われる。
【００２８】
また、係合側の他の係合機構に対する油圧指令値を増大させる。具体的には、前進第５速段から前進第４速段へのダウンシフトでは、図５に示すように、係合側の他の係合機構である第４クラッチＣ４の油圧指令値を一時的に急激に上昇させ、その後、第４クラッチＣ４で設定される油圧指令値を低下させる。いわゆるクイックアプライ制御を行うことにより、第４クラッチＣ４で設定される油圧を、第４クラッチＣ４でトルクを伝達し始めるパックエンド圧より僅かに高くかつ前進第４速段を設定できない油圧に速やかに設定する。
【００２９】
こうしてダウンシフトに備えた待機状態が設定される。その後、ｔ３時点に加速判定が行われる。現時点での加速度Ｇが閾値β以上である場合には、加速判定の判定フラグがオンにされ、直ちに、ダウンシフトが実行される。また、目標ギヤ段でトルクが伝達され始めるため、図５に示すように、ｔ３時点から直ちに加速度Ｇが低下し始める。その後、ｔ４時点で係合側の他の係合機構のトルク容量がライン圧などに応じた容量になることにより変速が終了し、変速後のギヤ段に応じたエンジン回転数、車両加速度になる。
【００３０】
図６は、前進第５速段から前進第４速段や前進第３速段へのダウンシフトを行う場合の第４クラッチＣ４の油圧、第３クラッチＣ３の油圧、第１ブレーキＢ１の油圧、エンジン回転数などの変化の一例を示すタイムチャートである。なお、図面を簡単にするため、上述したクイックアプライ制御による油圧の変化については、その記載を省略してある。また、図５に示すタイムチャートと同じ時点については、図５と同様の符号を付してある。ｔ２時点でプレ加速判定の判定フラグがオンにされると、上述したように、第２クラッチＣ２の油圧が低下され、第２クラッチＣ２の伝達トルク容量は滑りを伴わずにトルクを伝達する容量にまで低下される。また、図６に示すように、第４クラッチＣ４の油圧は、そのパックエンド圧より僅かに高くかつ前進第４変速段を設定することができない油圧に設定される。さらに、前進第３速段を設定する場合に係合される第３クラッチＣ３や、前進第２速段を設定する場合に係合される第１ブレーキＢ１の各クリアランスを詰めるパック詰め制御が行われる。第３クラッチＣ３や第１ブレーキＢ１は、パックエンド圧より僅かに低い油圧で待機させられる。
【００３１】
ｔ３時点で加速判定の判定フラグがオンにされると、直ちに、第２クラッチＣ２は解放されるとともに第４クラッチＣ４の油圧は増大される。その後、ｔ４時点で前進第５速段から前進第４速段へのダウンシフトが終了する。なお、ｔ３時点での車両の加速度Ｇが閾値α以上であることにより前進第４速段から前進第３速段へのダウンシフトが予測される場合には、第３クラッチＣ３の油圧は、そのパックエンド圧より僅かに高い油圧に設定される。その後、ｔ５時点で時点で加速判定の判定フラグがオンにされると、直ちに、第４クラッチＣ４は解放されるとともに第３クラッチＣ３の油圧は増大される。ｔ６時点で前進第４速段から前進第３速段へのダウンシフトが終了する。
【００３２】
したがって、上述した変速制御では、ダウンシフトを行うことが予測されると、現在のギヤ段における解放側の係合機構は解放される直前の状態で待機し、目標ギヤ段における係合側の係合機構は微小トルクを伝達している状態で待機する。そのため、ダウンシフトを行うことの判断が成立することによりダウンシフトを開始してから、ダウンシフトが終了するまでに掛かる時間を短縮することができる。またダウンシフトが実行されると、直ちに目標ギヤ段でトルクが伝達され始めるため、車両の加速度Ｇが低下し始める。その結果、運転者の意図もしくは期待する加速度Ｇの低下と、運転者が実際に感じる加速度Ｇの低下との不一致もしくは乖離が少なくなり、運転者の抱く違和感や疲労感を解消しあるいは抑制することができる。また、ブレーキペダルＢを踏み増すことを防止もしくは抑制することができ、車両の操作性や変速の応答性を向上することができる。
【００３３】
さらに、上述した変速制御では、現在のギヤ段から低速側に二段もしくは三段、連続してダウンシフトを行う場合に備えて、それらのギヤ段を設定する各係合機構に対してパック詰め制御を行って待機状態としている。そのため、連続してダウンシフトを行う場合であっても、速やかにダウンシフトを行うことができる。なお、係合側の係合機構は微小トルクを伝達している状態で待機することにより負荷が生じるとしても、惰性によって走行しているため、エンジンのトルクは可及的に小さくなっている。そのため、燃費や耐久性の低下を防止もしくは抑制することができる。
【００３４】
なお、この発明は上述した実施形態に限定されないのであって、上述した実施形態では係合機構をクラッチとしたが、この発明における係合機構はブレーキであってもよい。また、将来におけるダウンシフトの判断を加速度の変化に基づいて行うことに替えて、図示しないナビゲーションシステムの地図情報、サインポストや車車間通信などの外部から取得したいわゆるビッグデータなどを用いて、将来におけるダウンシフトを予測するように構成してもよい。
【符号の説明】
【００３５】
１…エンジン、  ２…自動変速機、  ４，５…係合機構、  １０…ＥＣＵ、  Ｂ…ブレーキペダル、  Ｃ１，Ｃ２，Ｃ３，Ｃ４，Ｂ１，Ｂ２…係合機構。
【図１】
2018112229.tif 000003
【図２】
2018112229.tif 000004
【図３】
2018112229.tif 000005
【図４】
2018112229.tif 000006
【図５】
2018112229.tif 000007
【図６】
2018112229.tif 000008